(57)【要約】【課題】  不要となったコンパクトディスクの有効活用を図り、緯度毎に星座早見盤を用意するのが容易な、星座早見盤を提供すること。【解決手段】  不要となった、コンパクトディスク２０と、このコンパクトディスク２０を収容する、透明樹脂製の透明ケース２３を利用し、コンパクトディスク２０に、カラー印刷などの手段により月日目盛１３と、星、星座を表示した星座盤１１を貼り付け、また透明ケース２３に設けられた開閉可能なカバー部２４の内面に、時刻目盛１５がカラー印刷などによって表示され、星座早見窓１６をあけた地上盤１２を取り付ける。観測したい月、日、時となるように、星座盤１１をコンパクトディスク２０と共に収容部２６内で回転させて、星座盤１１の月日目盛１３を地上盤１２の時刻目盛１５に合わせることにより、星座早見窓１６内に所望の月、日、時刻の星、星座が表示される。【選択図】      図１
0003114462.tif 000002
【実用新案登録請求の範囲】
【請求項１】
コンパクトディスクを利用した星座早見盤であって、
月日目盛を設けた星座盤を、前記コンパクトディスクに貼り付け、
時刻目盛と星座早見窓を設けた地上盤シートを、前記コンパクトディスクを収容する透明ケースの開閉可能なカバー部の内面に取り付け、
前記コンパクトディスクを前記透明ケース内に収容し、前記コンパクトディスクを前記透明ケース内で回転させることにより、前記星座盤の月日と前記地上盤シートの時刻とを合わせて、観測したい月日時における星座を前記星座早見窓内に表示させることを特徴とする星座早見盤。
【請求項２】
コンパクトディスクを利用した星座早見盤であって、
月日目盛を設けた星座盤を、前記コンパクトディスクに貼り付け、
時刻目盛と星座早見窓を設けた袋状の地上盤内に、前記コンパクトディスクを、前記時刻目盛の部分から前記月日目盛の部分が露出し且つ回転のみを許容するように、収容し、
前記コンパクトディスクを前記地上盤内で回転させることにより、前記星座盤の月日と前記地上盤の時刻とを合わせて、観測したい月日時における星座を前記星座早見窓内に表示させることを特徴とする星座早見盤。
【考案の詳細な説明】
【技術分野】
【０００１】
本考案は、例えば不要となったコンパクトディスク（ＣＤ）やこのコンパクトディスクを収容する透明ケースを利用して構成した、簡易な星座早見盤に関する。
【背景技術】
【０００２】
天体観測を行う際に使用する道具の一つである星座早見盤は、通常、星、星座を印刷した厚紙、プラスチック製シートからなる星座盤と、星座早見窓を有し、星座盤を回転可能に保持する、同じく厚紙、プラスチック製シートからなる地上盤とから構成される。星座盤には、その外周部に一年の月日を示す月日目盛が設けられる。また、地上盤には、その外周部に月日目盛と対応するように時刻を時間単位で示す時刻目盛が設けられる。星座盤を地上盤に対して所定量回転させて、月日目盛と時刻目盛を観測したい月、日、時刻に合わせることにより、この観測月日時に観測される星、星座が星座早見窓を介して見ることが出来る。
【０００３】
上述した星座早見盤は、星座盤の中心部を地上盤に金具を介して回転可能に取り付けて構成されており、従来、この基本的な構成の上に種々の工夫を施して、例えば半透明な着色フィルム又はシートなどを加えて、目的とする星や星座を容易に見つけることが出来るように工夫をしたものなどが提案されているが（例えば特許文献１参照）、星座盤を地上盤に金具を介して取り付けるという基本的な構成自体については殆ど改良がなされていないのが現状である。
【０００４】
ところで、星座早見盤は、通常、緯度によってその内容（星、星座の配置、地上盤の星座早見窓の形状など）が異なるから、緯度が異なれば使用することが出来ない。例えば、東京（北緯３５°）用の星座早見盤を使用してオーストラリアのケアンズ（南緯１７°）で星座を観測することは出来ない。
【０００５】
これまでの星座早見盤における基本構成では、上述した緯度の問題に対処することが難しく、結局、緯度毎に星座早見盤を用意する必要があり、使用者に大きな負担をかけていた。
【０００６】
【特許文献１】実用新案登録３１０１３１８号公報
【考案の開示】
【考案が解決しようとする課題】
【０００７】
本考案者は、緯度毎に星座早見盤を用意するという負担を少しでも軽減すべく、鋭意研究を重ねたところ、不要となったコンパクトディスクに着目し、このコンパクトディスクに星座盤を貼り付け、これをコンパクトディスクの透明ケースに収容する一方、この透明ケースのカバー部の内面に地上盤シートを取り付けることで、あるいはコンパクトディスクに星座盤を貼り付け、これを袋状の地上盤内に収容することで、簡単に星座早見盤を構成出来ることを見出し、本考案をなすに至った。
【０００８】
本考案は、不要となったコンパクトディスクの有効活用を図り、緯度毎に星座早見盤を用意するのが容易な、星座早見盤を提供することを目的とする。
【課題を解決するための手段】
【０００９】
上記目的を達成する本考案の請求項１に記載の星座早見盤は、コンパクトディスクを利用した星座早見盤であって、月日目盛を設けた星座盤を、前記コンパクトディスクに貼り付け、時刻目盛と星座早見窓を設けた地上盤シートを、前記コンパクトディスクを収容する透明ケースの開閉可能なカバー部の内面に取り付け、前記コンパクトディスクを前記透明ケース内に収容し、前記コンパクトディスクを前記透明ケース内で回転させることにより、前記星座盤の月日と前記地上盤シートの時刻とを合わせて、観測したい月日時における星座を前記星座早見窓内に表示させることを特徴とする（例えば図１乃至図４参照）。
【００１０】
また、上記目的を達成する本考案の請求項２に記載の星座早見盤は、コンパクトディスクを利用した星座早見盤であって、月日目盛を設けた星座盤を、前記コンパクトディスクに貼り付け、時刻目盛と星座早見窓を設けた袋状の地上盤内に、前記コンパクトディスクを、前記時刻目盛の部分から前記月日目盛の部分が露出し且つ回転のみを許容するように収容し、前記コンパクトディスクを前記地上盤内で回転させることにより、前記星座盤の月日と前記地上盤の時刻とを合わせて、観測したい月日時における星座を前記星座早見窓内に表示させることを特徴とする（例えば図３乃至図６参照）。
【考案の効果】
【００１１】
本考案の星座早見盤によれば、星座盤をコンパクトディスクに貼り付け、地上盤シートを、コンパクトディスクを収容する透明ケースの開閉可能なカバー部の内面に取り付ける構成なので、星座盤をピンなどの金具で地上盤に取り付ける作業を必要とせず、予め緯度毎に星座盤と地上盤の内容を印刷した紙片などを準備し、これらを切り取り、張り替えるだけで、緯度毎に星座早見盤を容易に構成することが出来、またこれまで不要となったコンパクトディスクやその透明ケースの有効活用を図ることが出来る。
【００１２】
また、本考案の別の星座早見盤によれば、星座盤をコンパクトディスクに貼り付け、これを袋状の地上盤内に回転のみを許容するように収容する構成なので、星座盤をピンなどの金具で地上盤に取り付ける作業を必要とせず、予め緯度毎に星座盤と地上盤の内容を印刷した紙片などを準備し、これらを切り取り、張り替えるだけで、緯度毎に星座早見盤を容易に構成することが出来、またこれまで不要となったコンパクトディスクの有効活用を図ることが出来る。
【考案を実施するための最良の形態】
【００１３】
以下、本考案の最良の実施の形態を、添付図面を参照して説明する。
【００１４】
図１乃至図４は本考案の星座早見盤の第１の実施形態を示している。図１は平面図、図２は図１の星座早見盤の展開図（カバー部を開いた状態の平面図）、図３は図１の星座早見盤の星座盤部分の平面図、図４は図３の星座早見盤部分の側面図である。
【００１５】
本第１の実施形態の星座早見盤１０は、北緯３５度用で、例えば、不要となった、コンパクトディスク２０と、このコンパクトディスク２０を収容する、透明樹脂製の透明ケース２３を利用しており、コンパクトディスク２０に記録された情報の内容を表示する面である、コンパクトディスク２０のラベル貼り付け面に星座盤１１を貼り付け、また透明ケース２３に設けられた開閉可能なカバー部２４の内面に地上盤１２を取り付けて構成される。
【００１６】
星座盤１１は、北緯３５度における星座盤の内容をカラー印刷などした紙片を、コンパクトディスク２０の直径に合致した円形状に切り取って形成されており、その表面に月日目盛１３と、星、星座、星名、星座名が表示されている（図３参照。なお、図１では図面を簡略化するために星名、星座名を省略して図示してある。後述する図５でも、同様に、星名、星座名を省略して図示してある）。星座盤１１の裏面には、図示しないが、その適宜箇所に接着剤層が形成されていて、この接着剤層を介して上述コンパクトディスク２０のラベル貼り付け面に貼り付けられる。月日目盛１３は星座盤１１の外周部に沿って形成される。各星、星座は、それぞれそれらの表面温度によって決まる色を有しており、星座盤１１上の各星、星座は実際の星、星座に合わせて着色される。例えば、うしかい座のアルクトゥールスはオレンジ色に、またおとめ座のスピカは青白色に、またこと座のベガは白色に、それぞれ着色される。なお、図１及び図３では、作図上の理由で、星、星座を全て白色で表現しているが、実際の製品では上述したように着色される。また、各星、星座は明るさが異なっており、星座盤１１上ではこの星、星座の明るさを大きさで表現している。すなわち、一番明るい一等星を一番大きく表現し、次いで二番目に明るい二等星を二番目の大きさで表現するように、明るさの順に合わせて大きさを変えて表現している。
【００１７】
地上盤１２は、星座盤１１と同様に北緯３５度における地上盤の内容をカラー印刷などした紙片を、カバー部２４の寸法よりも若干小さめの略方形状に切り取って形成されていて、その上縁部分に、その両側部分を除いて凹レンズ形状の切り込み１４が形成され、この切り込み１４の円弧部分に沿って時刻を時間単位で示す時刻目盛１５が表示される。時刻目盛１５は、子どもなどが天体観測するに適した時間帯に合わせて形成されており、午後８時を中心にし、午後５時から１１時までとしている。なお、大人向けには、０時を中心とし、時間帯を２４時間としてもよい。カバー部２４を閉じたとき、図１に示すように地上盤１２は星座盤１１上に重なり、時刻目盛１５上に星座盤１１の月日目盛１３が位置するようにしてある。また、地上盤１２には、星座早見窓１６の外縁を示す枠が表示されていて、この枠内の部分を切り抜くことにより星座早見窓１６が設けられる。さらに、星座早見窓１６の周辺部には方向を示す東西南北の文字が表示される。
【００１８】
なお、透明ケース２３の構造については、通常のものと変わらず、図２に示すように、コンパクトディスク２０を収容する、周壁２５によって囲まれた円形状の収容部２６を有するケース本体部分２７に、カバー部２４の一端両側部を、ピンなどを介して開閉可能に取り付けて構成される。収容部２６の中心部には、コンパクトディスク２０の中心部に形成した装着孔２１（図４参照）に着脱自在に嵌め込まれるリング状の保持壁２８が設けられる。装着孔２１内に保持壁２８を嵌め込むことにより、コンパクトディスク２０を収容部２６内に回転可能に収容することが出来る。また、カバー部２４には、その周壁に複数個（通常４個）舌片２９が突設されていて、これら舌片２９によりカバー部２４の内面に取り付けた地上盤１２が外れないように保持される。
【００１９】
次に、上述した本第１の実施形態の星座早見盤１０の使用方法について説明する。
【００２０】
まず、カバー部２４を若干開いた状態にして、指を透明ケース２３内に差し込み、観測したい月、日、時となるように、コンパクトディスク２０を収容部２６内で回転させて、星座盤１１の月日目盛１３を地上盤１２の時刻目盛１５に合わせる。観測したい月、日、時が、例えば、７月１日の午後８時であるならば、月日目盛１３の７月１日を時刻目盛１５の午後８時に合わせる。これにより、星座早見窓１６内に７月１日、午後８時の星、星座が表示される。星座早見窓１６の周辺部に印刷された東西南北の方向に合わせて星座早見盤１０を夜空に向け、星座早見窓１６内の星、星座を目視しつつ、天体を観測することにより、目的とする星、星座を簡単に見つけることが出来る。
【００２１】
本第１の実施形態では、コンパクトディスク２０に星座盤１１を貼り付け、また透明ケース２３のカバー部２４に地上盤１２を取り付けて構成されるので、星座盤１１の中心をピンなどの金具で地上盤１２に回転可能になるように取り付けなくても済み、また不要となったコンパクトディスク２０とその透明ケース２３の有効活用を図ることが出来る。また、星座盤１１はコンパクトディスク２０により裏打されているので、従来品のように厚紙を使用しなくても、比較的薄い紙片で構成することが可能である。地上盤１２についてもカバー部２４の内面に取り付けるだけなので、同じく比較的薄い紙片で構成することが可能である。また、例えば、図７（Ａ），（Ｂ）に示す北緯５度用、図８（Ａ），（Ｂ）に示す北緯１０度用、図９（Ａ），（Ｂ）に示す北緯８０度用、図１０（Ａ），（Ｂ）に示す南緯５度用、図１１（Ａ），（Ｂ）に示す南緯１０度用、図１２（Ａ），（Ｂ）に示す南緯３５度用、図１３（Ａ），（Ｂ）に示す南緯８０度用の、星座盤１１と地上盤１２を使用し、星座盤１１をコンパクトディスク２０に貼り替え、地上盤１１をカバー部２４に取り付けることにより、緯度毎に星座早見盤１０を構成することが簡単に出来る。
【００２２】
なお、図７（Ａ），（Ｂ）乃至図１３（Ａ），（Ｂ）に示す星座盤１１、地上盤１２などの情報をサーバーに格納しておき、必要時にインターネットなどの通信回線を介してサーバーにアクセスして、ダウンロードし、プリントアウトするようにしてもよい。また、コンパクトディスク２０そのものに情報をコピーしておき、必要時にパソコンのＣＤドライブに挿入してプリントアウトしてもよい。
【００２３】
図７（Ｂ）乃至図１３（Ｂ）では、図３と異なり、白黒を反転させて、空を白色、星、星座を黒色で表現している。星、星座を黒色で表現するのは、作図上の理由で、実際の製品には、上述したように実際の星、星座の色に合わせて着色される。
【００２４】
図５及び図６は本考案の星座早見盤の第２の実施形態を示している。図中、図１乃至図４に示す部分と同一部分には同一符号を付してその説明を省略する。
【００２５】
本第２の実施形態の星座早見盤１０Ａでは、星座盤１１をコンパクトディスク２０に貼り付けて使用する点では上述した第１の実施形態と同じであるが、透明ケース２３の代わりに袋状に形成された地上盤３０を使用する点で相違している。
【００２６】
図６は袋状の地上盤３０の展開図を示している。地上盤３０は、北緯３５度における地上盤の内容をカラー印刷などした表面部分３１と、この表面部分に折れ線３２を介して連設された裏面部分３３とから構成される。
【００２７】
表面部分３１については、その左右側縁に折れ線３４を介して糊代片３５がそれぞれ連設されるなどの点を除いて、上述した第１の実施形態の地上盤１２と同様に構成される。すなわち、表面部分３１の上縁部分には、その両側部分を除いて凹レンズ形状の切り取り線３６が形成される。この切り取り線３６に沿って表面部分３１の上縁部分を切り取ることによって形成される、円弧部分に沿って時刻を時間単位で示す時刻目盛１５が表示される。また、表面部分３１には、星座早見窓１６の外縁を示す枠が形成されていて、この枠内の部分を切り抜くことにより星座早見窓１６が形成される。さらに、星座早見窓１６の周辺部には方向を示す東西南北の文字が形成される。なお、表面部分３１の上縁部分における、切り取られずに残った両側部分３７は、折れ線３８を介して２つの部分に区画されていて、この区画された両側部分３７のうち上側部分３７ａが糊代片として利用される。裏面部分３３には、星座早見盤の使用方法を解説した表示欄３９がカラー印刷などにより形成される。
【００２８】
地上盤３０を袋状に形成してその内部に星座盤１１を収容するには、まず時刻目盛１５上に月日目盛１３が露出するように、星座盤１１上に表面部分３１を重ね合わせ、次いで折れ線３２を介して裏面部分３３を星座盤１１の裏面側に重ねて星座盤１１を包み込み、次いで表面部分３１の左右の糊代片３５を、折れ線３４を介して裏面部分３３の両側部分４０に重ね合わせて接着剤や接着テープなどで貼り付け、この後、表面部分３１の上側部分３７ａを、折れ線３８を介して裏面部分３３の上縁両側部分４１に重ね合わせて同じく接着剤や接着テープなどで貼り付ける。これにより、星座盤１１は、袋状の地上盤３０内に、上下左右方向には動かず、回転のみ許容された状態で収容される。
【００２９】
本第２の実施形態の星座早見盤１０Ａによれば、時刻目盛１５の部分から露出した星座盤１１の月日目盛１３の部分を摘んで、星座盤１１を地上盤３０内で回転させて、星座盤１１の月日目盛１３を地上盤３０の時刻目盛１５に合わせることにより、上述した第１の実施形態の星座早見盤１０と同様に、星座早見窓１６内に所望の月日、時刻の星、星座を表示させることが出来る。
【００３０】
本第２の実施形態では、不要となったコンパクトディスク２０があれば、透明ケース２３が破損などして使用出来ない場合であっても星座早見盤１０Ａを構成でき、不要となったコンパクトディスク２０の有効活用を図ることが出来る。
【００３１】
また、第１の実施形態の場合と同様に、図７（Ａ），（Ｂ）乃至図１３（Ａ），（Ｂ）に示す各緯度の星座盤１１と地上盤３０を使用して、星座盤１１をコンパクトディスク２０に貼り替え、また地上盤３０を袋状に折り畳んで星座盤１１を収容することにより、緯度毎に星座早見盤１０Ａを構成することが簡単に出来る。
【００３２】
なお、上記第１、第２の実施態様において、星座盤１１、地上盤１２、３０の表面に薄いプラスチックフイルムなど被覆して防水処理を施すようにしてもよい。また、星座早見窓１６の外縁を示す枠の内側にミシン線を入れておいてもよい。これによりハサミなどを使用しなくても星座早見窓１６をあけることが出来る。コンパクトディスク２０としては不要となったもの以外に、不要となっていない使用中のものを一時的に利用するようにしてもよい。
【図面の簡単な説明】
【００３３】
【図１】本考案の星座早見盤の第１の実施形態を示す平面図である。
【図２】図１の星座早見盤の展開図（カバー部を開いた状態の平面図）である。
【図３】図１の星座早見盤の星座盤部分の平面図である。
【図４】図３の星座早見盤部分の側面図である。
【図５】本考案の星座早見盤の第２の実施形態を示す平面図である。
【図６】図５の星座早見盤の地上盤の部分の展開図である。
【図７】図７（Ａ）は北緯５度用の地上盤の平面図、同図（Ｂ）は同じく北緯５度用の星座盤の平面図である。
【図８】図８（Ａ）は北緯１０度用の地上盤の平面図、同図（Ｂ）は同じく北緯１０度用の星座盤の平面図である。
【図９】図９（Ａ）は北緯８０度用の地上盤の平面図、同図（Ｂ）は同じく北緯８０度用の星座盤の平面図である。
【図１０】図１０（Ａ）は南緯５度用の地上盤の平面図、同図（Ｂ）は同じく南緯５度用の星座盤の平面図である。
【図１１】図１１（Ａ）は南緯１０度用の地上盤の平面図、同図（Ｂ）は同じく南緯１０度用の星座盤の平面図である。
【図１２】図１２（Ａ）は南緯３５度用の地上盤の平面図、同図（Ｂ）は同じく南緯３５度用の星座盤の平面図である。
【図１３】図１３（Ａ）は南緯８０度用の地上盤の平面図、同図（Ｂ）は同じく南緯８０度用の星座盤の平面図である。
【符号の説明】
【００３４】
１０，１０Ａ  星座早見盤                    １１  星座盤
１２，３０    地上盤                        １３  月日目盛
１５          時刻目盛                      １６  星座早見窓
２０          コンパクトディスク            ２３  透明ケース
２４          カバー部
【図１】
0003114462.tif 000003
【図２】
0003114462.tif 000004
【図３】
0003114462.tif 000005
【図４】
0003114462.tif 000006
【図５】
0003114462.tif 000007
【図６】
0003114462.tif 000008
【図７】
0003114462.tif 000009
【図８】
0003114462.tif 000010
【図９】
0003114462.tif 000011
【図１０】
0003114462.tif 000012
【図１１】
0003114462.tif 000013
【図１２】
0003114462.tif 000014
【図１３】
0003114462.tif 000015